(57)【要約】      （修正有）【課題】ノート型パソコンやタブレット端末などの物品を無理なく安全に収納して持ち運んだり保管したりすることが可能な偏平物品収納ケースを安価に提供する。【解決手段】シートによって形成した胴部１０、３０の上部に出し入れ口を備える。表裏の胴部１０、３０のうちの、たとえば下部を閉じ合わせている閉じ合わせ構造が、立上り片１３、３３の重なり部と、立上り片１３、３３に連設された係合片１４、３４と、重なり部の全長部分を挟圧しているクランパー５０とを有する。【選択図】図５
0003225323.tif 000002
【実用新案登録請求の範囲】
【請求項１】
表裏の各胴部が自立性と曲げ性とを有するシートによって形成され、上部に偏平物品の出し入れ口が備わっている偏平物品収納ケースであって、
上記各胴部のそれぞれの下部で相対して位置する一対の第１外辺部同士及び左右それぞれの側部で相対して位置する一対の第２外辺部同士の両方、又は、上記第２外辺部同士だけ、が閉じ合わされていて、
第１又は第２の各外辺部同士を閉じ合わせている閉じ合わせ構造が、相対して位置する一対の外辺部のそれぞれに折曲げ形成された立上り片の外面同士の重なり部と、それぞれの立上り片の高さ方向端縁に連設されてそれぞれの立上り片の内面側に折り返された係合片と、上記重なり部の全長部分を挟圧しているクランパーと、を有し、
上記クランパーが、上記重なり部の高さ方向端縁に当接されている細長形状の平板部と、この平板部の幅方向両端縁の全長部分にそれぞれ連設され、先端縁に上記係合片の先端縁に係合した状態で上記重なり部を挟圧している係合爪を備える一対の板片部と、を有していることを特徴とする偏平物品収納ケース。
【請求項２】
上記クランパーが表裏の各胴部を支えてこれらの各胴部の外辺部を膨らみ状に保形している請求項１に記載した偏平物品収納ケース。
【請求項３】
上記第１外辺部同士を閉じ合わせている上記閉じ合わせ構造において、上記クランパーの平板部の上面にクッション材が重ね合わされている請求項１又は請求項２に記載した偏平物品収納ケース。
【請求項４】
上記第１外辺部同士を閉じ合わせている上記閉じ合わせ構造において、上記クランパーの平板部に、上記出し入れ口から挿入された偏平物品を当該クランパーの平板部の上に誘導するガイド片が具備されている請求項１又は請求項３のいずれか１項に記載した偏平物品収納ケース。
【請求項５】
上記第２外辺部同士が閉じ合わされている上記閉じ合わせ構造において、この閉じ合わせ構造に具備されている縦長姿勢のクランパーの長手方向端部の上向き開口部が、当該クランパーの上端部に貼付されているシート体に具備された覆片によって覆い隠され、この覆片に連設された一対の貼付片が上記上向き開口部の近傍箇所で上記クランパーの一対の板片部のそれぞれに各別に貼付されていると共に、上記シート体に具備された羽根形の板状片が、表裏の各胴部のそれぞれの内面に重なり合っている請求項１ないし請求項４のいずれか１項に記載した偏平物品収納ケース。
【請求項６】
上記各胴部の上部に位置している左右のコーナ部が外下がりに傾斜した面取り状の傾斜部として形成されていて、上記第２外辺部同士を閉じ合わせている上記閉じ合わせ構造に備わっているクランパーの長手方向端部の上向き開口部が、上記傾斜部に見合う角度で傾斜している請求項１ないし請求項５のいずれか１項に記載した偏平物品収納ケース。
【請求項７】
上記各胴部のそれぞれの胴部の上端縁に折返し状に連設された裏当てシート部が、上記出し入れ口から当該偏平物品収納ケースの内部に挿入されて表裏の各胴部のそれぞれの内面のほぼ全面を覆っている請求項１ないし請求項６のいずれか１項に記載した偏平物品収納ケース。
【請求項８】
上記各胴部とそれぞれの胴部の上端縁に折返し状に連設された裏当てシート部との間に、防磁機能、補強機能又はクッション機能のいずれかを発揮する機能性シートが介在されている請求項７に記載した偏平物品収納ケース。
【請求項９】
上記第１外辺部同士及び上記第２外辺部同士の両方を閉じ合わせている各別の上記閉じ合わせ構造を有し、上記各胴部の下部に位置している左右のコーナ部が入り隅形状に形成され、上記第１外辺部同士を閉じ合わせている閉じ合わせ構造に具備されている横長姿勢のクランパーの長手方向端部の横向き開口部と上記第２外辺部同士を閉じ合わせている閉じ合わせ構造に具備されている縦長姿勢のクランパーの長手方向端部の下向き開口部とが入り隅形状の上記コーナ部に臨んでいると共に、入り隅形状の上記コーナ部を塞ぐようにコーナ部材が配備され、このコーナ部材が、上記横向き開口部と上記下向き開口部とを塞ぐ硬質の下地片とこの下地片に重ね合わされた化粧片とを有し、かつ、このコーナ部材が、上記第１外辺部と上記第２外辺部との間に亘る稜線を備えた山形に形成されている請求項１ないし請求項８のいずれか１項に記載した偏平物品収納ケース。
【請求項１０】
上記コーナ部材の硬質の下地片が、横長姿勢の上記クランパーの長手方向端部に貼付されているシート片に連設されていると共に、このシート片に、上記下地片の裏面に重なり合って貼付された裏当て片が連設されている請求項９に記載した偏平物品収納ケース。
【請求項１１】
上記立上り片の折曲げ部の端部が、上記第１外辺部又は上記第２外辺部に形成された凹所に位置している請求項１ないし請求項１０のいずれか１項に記載した偏平物品収納ケース。
【請求項１２】
上記第２外辺部同士が上記閉じ合わせ構造を介して閉じ合わされていると共に、表裏の各胴部における上記第１外辺部同士が折返し状に連設され、この第１外辺部同士の連設箇所に底マチ幅が付与されている請求項１ないし請求項１１のいずれか１項に記載した偏平物品収納ケース。
【請求項１３】
左右の上記第２外辺部の相互間隔が、上記出し入れ口に近付くほど漸次拡大している請求項１ないし請求項１２のいずれか１項に記載した偏平物品収納ケース。
【考案の詳細な説明】
【技術分野】
【０００１】
本考案は、ノート型パソコンやタブレット端末、その他の偏平形状の物品を収納することに用いられる偏平物品収納ケースに関する。
【背景技術】
【０００２】
ノート型パソコンやタブレット端末などの偏平形状の物品は、その物品をケースに収納したり汎用的なバッグやカバンに収納して持ち運ぶことが多い。また、上記の物品をケースに収納して机上などに置いておくことも多い。
【０００３】
先行例１には、ファッション性を高めることを意図した携帯用パソコンケースについての記述がある（特許文献１参照）。先行例２には、ノート型パソコンの使用中はパソコン作業台として利用でき、使用後はスタンドに立てて机の作業スペースを確保し、さらに、パソコンを収納して持ち運ぶことも可能なパソコンケースについての記述がある（特許文献２参照）。先行例３には、収容された物品の重みにより変形しにくいバッグについての記述がある（特許文献３参照）。
【先行技術文献】
【特許文献】
【０００４】
【特許文献１】実用新案登録第３１５３６３９号公報
【特許文献２】実用新案登録第３１３８０４０号公報
【特許文献３】特開２００８−１８９３４８号公報
【考案の概要】
【考案が解決しようとする課題】
【０００５】
本考案は、製作が容易で安価に提供することができ、ノート型パソコンなどの偏平形状の物品を無理なく安全に収納して持ち運んだり保管したりすることが可能な偏平物品収納ケースを提供することを目的としている。
【課題を解決するための手段】
【０００６】
本考案に係る偏平物品収納ケースでは、表裏の各胴部が自立性と曲げ性とを有するシートによって形成され、上部に偏平物品の出し入れ口が備わっている。自立性と曲げ性とを有するシートには、たとえば、耐候性や帯電防止性などを付加したポリプロピレンシート（ＰＰシート）を好適に用い得る。
【０００７】
本考案では、上記各胴部のそれぞれの下部で相対して位置する一対の第１外辺部同士及び左右それぞれの側部で相対して位置する一対の第２外辺部同士の両方、又は、上記第２外辺部同士だけ、が閉じ合わされている。すなわち、本考案は、表裏の各胴部のそれぞれの下部で相対して位置する一対の第１外辺部同士及び左右それぞれの側部で相対して位置する一対の第２外辺部同士の両方が閉じ合わされている第１タイプの偏平物品収納ケースと、上記第２外辺部同士が閉じ合わされている第２タイプの偏平物品収納ケースと、を対象としている。
【０００８】
さらに、本考案では、第１又は第２の各外辺部同士を閉じ合わせている閉じ合わせ構造が、相対して位置する一対の外辺部のそれぞれに折曲げ形成された立上り片の外面同士の重なり部と、それぞれの立上り片の高さ方向端縁に連設されてそれぞれの立上り片の内面側に折り返された係合片と、上記重なり部の全長部分を挟圧しているクランパーと、を有し、上記クランパーが、上記重なり部の高さ方向端縁に当接されている細長形状の平板部と、この平板部の幅方向両端縁の全長部分にそれぞれ連設され、先端縁に上記係合片の先端縁に係合した状態で上記重なり部を挟圧している係合爪を備える一対の板片部と、を有している。
【０００９】
この考案において、閉じ合わせ構造の適用箇所は、上記した第１タイプの偏平物品収納ケースにあっては、各胴部のそれぞれの下部で相対して位置する一対の第１外辺部同士及び左右それぞれの側部で相対して位置する一対の第２外辺部同士の両方であり、上記した第２タイプの偏平物品収納ケースにあっては、上記第２外辺部同士だけである。また、閉じ合わせ構造に具備されているクランパーは、樹脂を押出成形したものを必要長に切断することによって容易かつ安価に得られる形状であり、クランパーの成形材料を変えたりサイズや厚さを変えたりして収納物品に適する強度や緩衝作用を得ることも容易に可能である。また、クランパーは、一対の板片部に備わっている係合爪の相互間に立上り片の外面同士の重なり部を分け入らせるようにして当該クランパーを重なり部に差し込むだけで容易に組み付けることができる。
【００１０】
本考案では、上記クランパーが表裏の各胴部を支えてこれらの各胴部の外辺部を膨らみ状に保形している、という構成を採用することが可能である。これによれば、製作工程中に表裏の各胴部を膨らみ形状に成形して当該ケースの内部空間の広さを確保する、といった煩わしい工程を余分に組み入れる必要がなくなる。
【００１１】
本考案では、上記第１外辺部同士を閉じ合わせている上記閉じ合わせ構造において、上記クランパーの平板部の上面にクッション材が重ね合わされている、という構成を採用することが可能である。これによれば、クランパー自体による緩衝性能とクッション材による緩衝性能とが相乗して収納物品が衝撃から防護されやすくなる。
【００１２】
本考案では、上記第１外辺部同士を閉じ合わせている上記閉じ合わせ構造において、上記クランパーの平板部に、上記出し入れ口から挿入された偏平物品を当該クランパーの平板部の上に誘導するガイド片が具備されていることが望ましい。これによれば、ガイド片の作用によって偏平物品が確実にクランパーの平板部に載置されるので、偏平物品がクランパーの側部にずれ落ちて不安定になったり、クランパーによる緩衝作用が発揮されなくなったりするおそれがなくなる。
【００１３】
本考案では、上記第２外辺部同士が閉じ合わされている上記閉じ合わせ構造において、この閉じ合わせ構造に具備されている縦長姿勢のクランパーの長手方向端部の上向き開口部が、当該クランパーの上端部に貼付されているシート体に具備された覆片によって覆い隠され、この覆片に連設された一対の貼付片が上記上向き開口部の近傍箇所で上記クランパーの一対の板片部のそれぞれに各別に貼付されていると共に、上記シート体に具備された羽根形の板状片が、表裏の各胴部のそれぞれの内面に重なり合っている、という、構成を採用することが可能である。この構成によれば、クランパーの上向き開口部がシート体の覆片によって覆い隠されて見栄えが向上するだけでなく、表裏の胴部のそれぞれの内面に重なり合っている羽根形の板状片が、表裏の胴部を外向きに押圧して表裏の胴部の形崩れを抑制することに役立つ。
【００１４】
本考案では、上記各胴部の上部に位置している左右のコーナ部が外下がりに傾斜した面取り状の傾斜部として形成されていて、上記第２外辺部同士を閉じ合わせている上記閉じ合わせ構造に備わっているクランパーの長手方向端部の上向き開口部が、上記傾斜部に見合う角度で傾斜している、という構成を採用することが望ましい。これによれば、表裏の胴部の上部に位置している左右のコーナ部が面取り形状になるので、そのコーナ部に手が当たって怪我をするといった事態が起こりにくい。
【００１５】
本考案では、上記各胴部のそれぞれの胴部の上端縁に折返し状に連設された裏当てシート部が、上記出し入れ口から当該偏平物品収納ケースの内部に挿入されて表裏の各胴部のそれぞれの内面のほぼ全面を覆っている、という構成を採用することが望ましい。これによれば、裏当てシート部が緩衝材として作用するだけでなく、物品の出し入れを円滑に行うことにも役立つ。この考案では、上記各胴部とそれぞれの胴部の上端縁に折返し状に連設された裏当てシート部との間に、防磁機能、補強機能又はクッション機能のいずれかを発揮する機能性シートが介在されている、という構成を採用することができ、そうしておくことによって、当該ケースに防磁機能を具備させたり、当該ケースの強度を高めたり、当該ケースに収納した偏平物品を衝撃から防護することが可能になる。
【００１６】
本考案では、上記第１外辺部同士及び上記第２外辺部同士の両方を閉じ合わせている各別の上記閉じ合わせ構造を有し、上記各胴部の下部に位置している左右のコーナ部が入り隅形状に形成され、上記第１外辺部同士を閉じ合わせている閉じ合わせ構造に具備されている横長姿勢のクランパーの長手方向端部の横向き開口部と上記第２外辺部同士を閉じ合わせている閉じ合わせ構造に具備されている縦長姿勢のクランパーの長手方向端部の下向き開口部とが入り隅形状の上記コーナ部に臨んでいると共に、入り隅形状の上記コーナ部を塞ぐようにコーナ部材が配備され、このコーナ部材が、上記横向き開口部と上記下向き開口部とを塞ぐ硬質の下地片とこの下地片に重ね合わされた化粧片とを有し、かつ、このコーナ部材が、上記第１外辺部と上記第２外辺部との間に亘る稜線を備えた山形に形成されている、という構成を採用することが可能である。また、この考案では、上記コーナ部材の硬質の下地片が、横長姿勢の上記クランパーの長手方向端部に貼付されているシート片に連設されていると共に、このシート片に、上記下地片の裏面に重なり合って貼付された裏当て片が連設されていることが望ましい。
【００１７】
これによれば、コーナ部材の硬質の下地片によって当該ケースのコーナ部、ひいては当該ケース全体が補強されるので、落下時などの耐衝撃強度が向上する。また、コーナ部材の化粧片が見栄えを向上させることに役立つ。そのほか、表裏の胴部の下部に位置している左右のコーナ部が面取り形状になるので、そのコーナ部に手が当たって怪我をするといった事態が起こりにくい。さらに、クランパーに貼付されたシート片に下地片や裏当て片が連設されていると、下地片や裏当て片がクランパーに固定されて位置ずれしにくくなるので、下地片や裏当て片によるコーナ部の補強作用が損なわれにくい。
【００１８】
本考案では、上記立上り片の折曲げ部の端部が、上記第１外辺部又は上記第２外辺部に形成された凹所に位置している、という構成を備えていることが望ましい。これによれば、立上り片が無理なく折れ曲がり、立上り片を折り曲げたときに折曲げ箇所が縒れて見苦しくなるといった事態が起こらない。この作用は、特に、シートを折り曲げて製作される当該ケースにとっては有益である。
【００１９】
本考案では、上記第２外辺部同士が上記閉じ合わせ構造を介して閉じ合わされていると共に、表裏の各胴部における上記第１外辺部同士が折返し状に連設され、この第１外辺部同士の連設箇所に底マチ幅が付与されている、という構成を採用することが可能である。これによれば、表裏の胴部を形成するのに１枚のシートを用いるだけで済む。
【００２０】
本考案では、左右の上記第２外辺部の相互間隔が、上記出し入れ口に近付くほど漸次拡大している、という構成を採用することが可能であり、これによれば、出し入れ口の横幅が拡大されて物品を容易に出し入れできるようになる。
【考案の効果】
【００２１】
以上のように、本考案によれば、製作が容易で安価に提供することができ、ノート型パソコンやタブレット端末などの偏平形状の物品を無理なく安全に収納して持ち運んだり保管したりすることのできる偏平物品収納ケースを提供することが可能になる。なお、偏平物品には、ノート型パソコンやタブレット端末のほか、書籍やノート、ガラス製や木製などの板材なども含まれることは勿論である。
【図面の簡単な説明】
【００２２】
【図１】本考案の実施形態に係る偏平物品収納ケースの概略斜視図である。
【図２】本考案の実施形態に係る第１タイプのケースの製作に使用される２枚のシートの展開平面図である。
【図３】（Ａ）はコーナ部材の要素である下地片と裏当て片とシート片とを示した概略斜視図、（Ｂ）はクランパーにコーナ部材を装着した状態の部分概略斜視図である。
【図４】（Ａ）は下部閉じ合わせ工程の説明図、（Ｂ）はクランパーの要部拡大図である。
【図５】下部閉じ合わせ工程で閉じ合わされた２枚のシートの展開斜視図である。
【図６】図１のＶＩーＶＩ線に沿う部分の拡大断面図である。
【図７】図７は側部閉じ合わせ工程の説明図である。
【図８】（Ａ）はクランパーの上端部に貼付されたシート体を拡大して示した説明図、（Ｂ）はシート体の折り曲げ処理後の形態を示した説明図である。
【図９】シート体が貼付されたクランパーを重なり部に差し込む状態を示した説明図である。
【図１０】側部閉じ合わせ工程を行った後でのケースの上部のコーナ部を示した説明図である。
【図１１】裏当てシート部をケースの内部に挿入している状態の説明図である。
【図１２】ケースに具備されている３つのクランパーの突き合わせ形態を示した説明図である。
【図１３】コーナ部材の要素である化粧片の折り曲げ処理途中の展開図である。
【図１４】化粧片の最終形状の斜視図である。
【図１５】化粧片の組付け状態の説明図である。
【図１６】図１５のＸＶＩ矢視拡大図である。
【図１７】立上り片の折曲げ部の端部処理を示した説明図である。
【図１８】ケースの正面図である。
【図１９】本考案の他の実施形態に係る第２タイプのケースの製作に使用される１枚のシートの展開平面図である。
【図２０】本考案のさらに他の実施形態に係るケースの概略斜視図である。
【考案を実施するための形態】
【００２３】
図１は本考案の実施形態に係る偏平物品収納ケースの概略斜視図である。同図に例示した偏平物品収納ケース１００（以下「ケース」という。）は、表胴部１０と裏胴部（図に現れていない。）とが自立性や腰の強い曲げ性を有するシートによって形成され、上部にノート型パソコンなどの偏平物品の出し入れ口１１０が備わっている。ケース１００の主材料であるシートには、たとえば、耐候性や帯電防止性などを付加したポリプロピレンシート（ＰＰシート）を好適に用いることができ、特に表裏両面にエンボス加工が施されている低発泡タイプのＰＰシートは手触り感がソフトになるので、手に持って取り扱うことの多いケース１００に適する。この種のシートとして積水成型工業（株）製商品名「ポリセーム」が知られている。また、シートとして芯材入りの布生地を用いることも可能である。
【００２４】
図２は上記した第１タイプのケース１００の製作に使用される２枚のシートＳ１，Ｓ２の展開平面図である。同図に展開して示した一方のシートＳ１には、製作後のケース１００（図１）の表側に位置する略矩形の１つの表胴部１０と、製作後のケース１００の底部（下部）に位置する１つの立上り片１１及びこの立上り片１１に連設されている係合片１２と、製作後のケース１００の左右両側に位置する２つの立上り片１３，１３及びこれらの立上り片１３，１３に各別に連設されている係合片１４，１４と、製作後のケース１００の内部に配備される１つの裏当てシート部１５と、が区画形成されている。同図に展開して示した他方のシートＳ２は一方のシートＳ１と対称形状に形成されて、この他方のシートＳ２にも、製作後のケース１００（図１）の裏側に位置する略矩形の１つの裏胴部３０と、製作後のケース１００の底部（下部）に位置する１つの立上り片３１及びこの立上り片３１に連設されている係合片３２と、製作後のケース１００の左右両側に位置する２つの立上り片３３，３３及びこれらの立上り片３３，３３に各別に連設されている係合片３４，３４と、製作後のケース１００の内部に配備される１つの裏当てシート部３５と、が区画形成されている。なお、図２ではシートＳ１，Ｓ２の折曲げ処理を施す箇所を破線（折り曲げ線）で示している。
【００２５】
図１に示したケース１００は、図２に示した２枚のシートＳ１，Ｓ２に折曲げ処理などを施したり他の必要なパーツを追加したりしつつ、一定の組立処理を行うことによって製作されている。以下では、ケース１００の製作手順の一例と併せて、ケース１００の具体的構造を説明する。
【００２６】
この実施形態に係るケース１００の製作手順には、図２に示した２枚のシートＳ１，Ｓ２における表胴部１０及び裏胴部３０の下部同士を閉じ合わせる下部閉じ合わせ工程、及び、表胴部１０及び裏胴部３０の左右の側部同士を閉じ合わせる側部閉じ合わせ工程が含まれる。これらの下部閉じ合わせ工程及び側部閉じ合わせ工程を経て製作されるケース１００は、冒頭で説明した第１タイプのケース１００に相当している。
【００２７】
図３（Ａ）は下部閉じ合わせ工程で追加されるパーツであるコーナ部材７０（後述する）の要素である下地片７１と裏当て片７３と貼付シート片７４とを示した概略斜視図、同図（Ｂ）は同パーツであるクランパー５０にコーナ部材７０を装着した状態の部分概略斜視図である。図４（Ａ）は下部閉じ合わせ工程の説明図、同図（Ｂ）はクランパー５０の要部拡大図である。また、図５は下部閉じ合わせ工程で閉じ合わされた２枚のシートＳ１，Ｓ２の展開斜視図、図６は図１のＶＩーＶＩ線に沿う部分の拡大断面図である。
【００２８】
下部閉じ合わせ工程では、製作後のケース１００における表胴部１０の下部に位置する第１外辺部１６（図２では表胴部１０の上部に表示されている。）と、製作後のケース１００における裏胴部３０の下部に位置する第１外辺部３６（図２では裏胴部１０の下部に表示されている。）とが閉じ合わされる。
【００２９】
図４（Ａ）のように、下部閉じ合わせ工程の初期段階では、表胴部１０の第１外辺部１６に連設されている立上り片１１の内面側に、この立上り片１１に連設されている係合片１２が折り返される。同様に、裏胴部３０の第１外辺部３６に連設されている立上り片３１の内面側に、この立上り片３１に連設されている係合片３２（図に表れていない）が折り返される。そして、同図のように、表胴部１０の立上り片１１が第１外辺部１６で直角に折り曲げられて立ち上げられ、同様に、裏胴部３０の立上り片３１が第１外辺部３６で直角に折り曲げられて立ち上げられる。そして、これら２つの立上り片１１，３１の外面同士が重ね合わされ、この重なり部ａを介して２つの第１外辺部１６，３６同士が横長姿勢のクランパー５０を用いて閉じ合わされる。図４（Ｂ）に示したように、クランパー５０は、細長形状の平板部５１とこの平板部５１の幅方向両端縁の全長部分にそれぞれ連設された一対の板片部５２，５２とを有し、それぞれの板片部５２，５２の先端縁には係合爪５３，５３が備わっている。図例のクランパー５０では、一対の板辺部５２，５２がそれらの先端縁に近い箇所ほど相互間隔が狭くなるように傾斜している。このクランパー５０は、ポリプロピレンなどの樹脂材料を押出成形することによって得られ、しかも、押出成形した成型品を切断することによって必要長のものを容易かつ安価に得られる。
【００３０】
下部閉じ合わせ工程では、図４（Ａ）に矢印ａ１で示したように、クランパー５０に備わっている一対の係合爪５３，５３（図４（Ｂ）参照）の相互間に２つの立上り片１１，３１同士の重なり部ａを分け入らせてクランパー５０をこの重なり部ａに差し込むことによって、重なり部ａ（図４（Ａ）参照）の全長部分に図５のようにクランパー５０を位置させる。
【００３１】
こうして２つの上記第１外辺部１６，３６同士をクランパー５０を用いて閉じ合わせている閉じ合わせ構造を図６に示した。同図のように、この閉じ合わせ構造では、クランパー５０の平板部５１が上記重なり部ａの高さ方向端縁に当接し、クランパー５０の一対の係合爪５３，５３が、２つの立上り片１１，３１の内面側に折り返されている係合片１２，３２の先端縁に係合した状態で上記重なり部ａを挟圧している。この閉じ合わせ構造によると、２つの第１外辺部１６，３６同士がクランパー５０の作用で確実に閉じ合わされるだけでなく、クランパー５０ががたついて閉じ合わせ作用が損なわれることもない。また、閉じ合わせ構造を構成しているクランパー５０は、それ自体が樹脂に特有の弾性を備えているので、図１に示した試作後のケース１００の底部（下部）において緩衝作用を発揮する。
【００３２】
図４（Ｂ）に示したクランパー５０の一対の板辺部５２，５２は、それらの先端縁に近い箇所ほど相互間隔が狭くなるように傾斜しているけれども、この点は、一対の板辺部５２，５２が平行になっていても円弧状になっていてもよい。
【００３３】
図３（Ａ）に、下部閉じ合わせ工程で追加されるパーツであるコーナ部材７０（後述する）の要素である下地片７１と裏当て片７３とシート片７４とを示している。シート片７４は、同図（Ｂ）のように横長姿勢のクランパー５０の長手方向端部でその平板部５１と板片部５２とに貼付されている。そして、シート片７４に連設された下地片７１が横長姿勢のクランパー５０に対して略４５度の角度で斜め上向きに折り曲げられ、しかも、下地片７１自体が幅方向中央部で山形に折り曲げられている。また、シート片７４には、粘着剤Ｗを保持した裏当て片７３も連設されていて、この裏当て片７３が所定形状に折り曲げられて下地片７１の裏面に重なり合って貼付されている。シート片７４に連設されている下地片７１及び裏当て片７３は硬質の耐衝撃性に優れた樹脂成形体でなる。山形に形作られた下地片７１の２箇所には差込み部７２が備わっている。ここおで説明した下地片７１及び裏当て片７３を有するシート片７４は、横長姿勢のクランパー５０の長手方向両端部にそれぞれ貼付されている。
【００３４】
下部閉じ合わせ工程を行った後、図５に示したように、表胴部１０の左右両側の第２外辺部１７，１７に連設されている立上り片１３，１３の内面側に、これらの立上り片１３，１３に連設されている係合片１４，１４が折り返され、さらに、これらの立上り片１３，１３が直角に折り曲げられて立ち上げられる。同様に、裏胴部３０の左右両側の第２外辺部３７，３７に連設されている立上り片３３，３３の内面側に、これらの立上り片３３，３３に連設されている係合片３４，３４が折り返され、さらに、これらの立上り片３３，３３が直角に折り曲げられて立ち上げられる。次に、表胴部１０と裏胴部３０とを下部閉じ合わせ箇所で折返し状に折り曲げることにより、表胴部１０の左右の立上り片１３，１３及び裏胴部３０の左右の立上り片３３，３３の外面同士が重ね合わされる。
【００３５】
この後、製作後のケース１００における表胴部１０の左右の両側部に位置する第２外辺部１７，１７と、製作後のケース１００における裏胴部３０の左右の両側部に位置する第２外辺部３７，３７とが側部閉じ合わせ工程を経て閉じ合わされる。
【００３６】
図７は側部閉じ合わせ工程の説明図である。側部閉じ合わせ工程では、表胴部１０の左右の立上り片１３，１３（図５参照）及び裏胴部３０の左右の立上り片３３，３３の外面同士の重なり部ｂが、図４（Ｂ）に示したものと同様の構成を有する縦長姿勢のクランパー５０を用いて閉じ合わされる。この側部閉じ合わせる工程では、図４（Ａ）を参照して説明した下部閉じ合わせ工程に準じる手順が行われる。したがって、側部閉じ合わせ工程を行うことによって構成される側部閉じ合わせ構造も図６に示した閉じ合わせ構造に準じた構成を有することになる。このため、左側の第２外辺部１７，３７同士及び右側の第２外辺部１７，３７同士が各別のクランパー５０，５０の作用でそれぞれ確実に閉じ合わされ、閉じ合わせに用いられているクランパー５０，５０ががたついて閉じ合わせ作用が損なわれることもない。また、閉じ合わせ構造を構成しているクランパー５０は、上記したようにそれ自体が樹脂に特有の弾性を備えているので、図１に示したケース１００の左右の側部において緩衝作用を発揮する。側部閉じ合わせ工程に用いられる縦長姿勢のクランパー５０の上端部には、図７によって類推できるように、シート体６０があらかじめ貼付されている。
【００３７】
図８（Ａ）はクランパー５０の上端部に貼付されたシート体６０を拡大して示した説明図、同（Ｂ）はシート体６０の折り曲げ処理後の形態を示した説明図、図９はシート体６０が貼付されたクランパー５０を上記した重なり部ｂに差し込む状態を示した説明図、図１０は側部閉じ合わせ工程を行った後でのケース１００の上部のコーナ部を示した説明図である。
【００３８】
図７又は図８（Ａ）によって判るように、シート体６０は、三角形状の覆片６１と、覆片６１の両側端縁のそれぞれに連設された貼付片６２，６２と、貼付片６２のそれぞれに連設された開き片６３，６３と、羽根形の一対の板状片６４，６４を有し、それらのうちの貼付片６２及び一対の板状片６４，６４の境界部分の片面には粘着剤Ｗが保持されている。そして、上記した側部閉じ合わせ工程を行うのに先立って、図８（Ｂ）のように覆片６１を外側に折り曲げることにより、横長姿勢のクランパー５０の長手方向端部の上向き開口部５４を覆い隠し、一対の貼付片６２，６２を折り曲げて上記上向き開口部５４の近傍箇所で上記クランパーの板片部５２のそれぞれに貼付し、開き片６３を折返し状に折り曲げておく。この後、図９の矢印ｃ１のように、縦長姿勢のクランパー５０を上記した重なり部ｂ（図７参照）に差し込んで側部閉じ合わせ工程を行う。そして、クランパー５０を差し込んでから、開き片６３を表裏の各胴部１０，３０（図７参照）のそれぞれの内面に各別に重ね合わせておく。こうすると、羽根形の板状片６４，６４が、表裏の各胴部１０，３０のそれぞれの内面に重なり合う。これにより、クランパー５０の上向き開口部５４（図７、図８（Ａ））が覆片６１によって覆い隠されて見栄えが向上するだけでなく、表裏の各胴部１０，３０のそれぞれの内面に重なり合っている羽根形の板状片６４，６４が、各胴部１０，３０を外向きに押圧して各胴部１０，３０の形崩れを抑制する作用を発揮する。この実施形態では、表裏の各胴部１０，３０の上部に位置している左側のコーナ部（右側のコーナ部も同様）が外下がりに傾斜した面取り状の傾斜部１２０（図１参照）として形成されている。これに対応して、図７に示した縦長姿勢のクランパー５０の長手方向端部の上向き開口部５４も、上記傾斜部１２０に見合う角度に傾斜している。このため、ケース１００における表裏の各胴部１０，３０の上部に位置している左右のコーナ部が面取り形状になり、そのコーナ部に手が当たって怪我をするといった事態が起こりにくいという利点がある。
【００３９】
図１１は裏当てシート部１５，３５をケース１００の内部に挿入している状態の説明図である。上記した側部閉じ合わせ工程を行った後、図１１によって類推できるように、ケース１００表裏の各胴部１０，３０（裏胴部３０は図に現れていない。）のそれぞれの上端縁に折返し状に連設されている裏当てシート部１５，３５を出し入れ口１１０から矢印ｄ１のようにケース１００の内部に挿入し、表裏の各胴部１０，３０のそれぞれの内面のほぼ全面を覆わせておく。こうしておくと、裏当てシート部１５，３５が緩衝材として作用するだけでなく、物品の出し入れを円滑に行うことにも役立つ。
【００４０】
図１２は製作後のケース１００に具備されている３つのクランパー５０…の突き合わせ形態を示した説明図である。同図のように、この実施形態では、下部に配備されている横長姿勢のクランパー５０の左右の各端部に、左右の側部にそれぞれ配備されている縦長姿勢のクランパー５０の下端部が各別に直角に突き合わされている。この構成によって３つのクランパー５０…がＵ字形の枠組みを形成するので、下部閉じ合わせ箇所や左右の側部閉じ合わせ箇所の強度が向上し、ケース（図１参照）が形崩れを起こしにくくなる。
【００４１】
また、この実施形態では、図６に示したように、ケース１００における表胴部１０及び裏胴部３０を、上記した下部閉じ合わせ箇所で横長姿勢のクランパー５０が内側から支えた形態になるので、表胴部１０の下部や裏胴部３０の下部が膨らみ状に保形される。図示していないけれども、上記した側部閉じ合わせ箇所でも、これと同様に、クランパー５０によって内側から支えられた第２外辺部１７の側部や裏胴部３０の側部が膨らみ状に保形される。このため、ケース１００の内部空間の広さを確保しやすくなる。したがって、製作工程中に表裏の各胴部１０，３０を膨らみ形状に成形して当該ケース１００の内部空間の広さを確保する、といった煩わしい工程を余分に組み入れる必要がなくなる。
【００４２】
図１３はコーナ部材７０の要素である化粧片７５の折り曲げ処理途中の展開図、図１４は同化粧片７５の最終形状の斜視図、図１５は化粧片７５の組付け状態の説明図、図１６は図１５のＸＶＩ矢視拡大図である。
【００４３】
図１や図１１に示したように、ケース１００における表裏の各胴部１０，３０の下部に位置している左右のコーナ部１３０が入り隅形状に形成されている。また、図１２や図１５を併せ見ることによって判るように、下部閉じ合わせ構造に具備されている横長姿勢のクランパー５０の長手方向端部の横向き開口部５５と側部閉じ合わせ構造に具備されている縦長姿勢のクランパーの長手方向端部の下向き開口部５６とが入り隅形状の上記コーナ部１３０に臨んでいる。そして、左右の入り隅形状のコーナ部１３０を塞ぐように図５に示した下地片７１と図１４に示した化粧片７５とでなるコーナ部材７０が配備される。
【００４４】
図１４に示した化粧片７５は、薄手の柔軟な樹脂シートでなり、図１３に示したような折曲げ処理を経て山形に形作られる。そして、図１４に示した折曲げ処理後の化粧片７５には２箇所に差込み部７６が備わっている。
【００４５】
図５に示した下地片７１は、ケース１００における表裏の各胴部１０，３０の下部に位置している左右の入り隅形状のコーナ部１３０を塞ぐように配備される。すなわち、下地片７１の差込み部７２が、横長姿勢のクランパー５０の端部や縦長姿勢のクランパー５０の端部に差し込まれている。そして、図１５に矢印ｅ１，ｅ２で示したように、化粧片７５の２箇所の差込み部７６，７６を、下部閉じ合わせ構造に具備されている横長姿勢のクランパー５０の長手方向端部の外側又は内側に差し込む。これにより、図１６のようにコーナ部材７０が入り隅状のコーナ部１３０に固定される。そして、コーナ部材７０の稜線Ｌが、図１５又は図１６のように、上記した第１外辺部１６，３６と第２外辺部１７，３７との間に亘るように配置される。この構成によると、コーナ部材７０の硬質の下地片７１や裏当て片７３によって下部及び左右の側部の３箇所の上記閉じ合わせ構造が連結されることになってケース１００の全体が補強されるだけでなく、表裏の各胴部１０，３０の下部に位置している左右のコーナ部１３０，１３０も補強されるので、落下時などの耐衝撃強度が向上する。また、化粧片７５が見栄えを向上させることに役立つ。そのほか、表裏の各胴部１０，３０の下部に位置している左右のコーナ部１３０，１３０が面取り形状になるので、そのコーナ部１３０，１３０に手が当たって怪我をするといった事態が起こりにくい。
【００４６】
図１７は立上り片３１，３３の折曲げ部の端部処理を示した説明図である。同図のように、この実施形態では、裏胴部３０の第１外辺部３６に連設されている立上り片３１の折曲げ部の端部３１ａが、上記第１外辺部３６に形成された凹所３６ａに位置している。同様に、裏胴部３０の第２外辺部３７に連設されている立上り片３３の折曲げ部の端部３３ａが、上記第２外辺部３７に形成された凹所３７ａに位置している。こうしておけば、立上り片３１，３３が無理なく折れ曲がり、立上り片３１，３３を折り曲げたときに折曲げ箇所が縒れて見苦しくなるといった事態が起こらない。上記した表胴部１０の立上り片１１，１３についても同様である。
【００４７】
図１８はケース１００の正面図である。この実施形態では、同図のように、表胴部１０及び裏胴部（裏胴部は図に現れていない。）の左右それぞれの第２外辺部１７，３７を角度θだけ傾斜させることによって、それらの相互間隔を、出し入れ口１１０に近付くほど漸次拡大させている。こうしておくと、出し入れ口１１０の横幅が拡大されて物品を容易に出し入れできるようになる。
【００４８】
上記した実施形態においては、図４（Ｂ）に仮想線で示したように、下部閉じ合わせ構造に具備されている横長姿勢のクランパー５０の平板部５１の上面に、クッション材８０を重ね合わせておいてもよい。こうしておけば、クランパー５０自体による緩衝性能とクッション材８０による緩衝性能とが相乗して、収納物品が衝撃から防護されやすくなる。また、図７に示したように、シート体６０の一対の板状片６４，６４の境界部分にペンホルダー９０を装備させておくことも可能である。図例のペンホルダー９０は、上記境界部分に形成した切り目６５に、ペンホルダー９０の差込み係止片９１を差し込んで係止させることによって上記境界部分に装備されている。このようにペンホルダー９０を装備させておくと、筆記用具を差し込めるようになり、特に、タブレット端末をケース１００に収納して持ち歩くようなときには、タブレット端末を操作するためのタッチペンを差し込んでおくことができるという利便性が得られる。また、ペンホルダー９０は取り外しが可能であるので、サイズの異なるペンホルダー９０を付け替えることによって様々なサイズの筆記用具を差し込めるようになる。
【００４９】
この実施形態では、図５又は図６に示したように、下部閉じ合わせ構造に用いられている横長姿勢のクランパー５０の平板部５１に、立上り姿勢の一対のガイド片９５，９５が貼付されている。このガイド片９５，９５は、ケース１００の出し入れ口１１０から挿入された偏平物品を横長姿勢のクランパー５０の平板部５１の上に正確に誘導する役割を果たす。このため、ガイド片９５，９５の作用により、偏平物品がクランパー５０の側部にずれ落ちて不安定になったり、クランパー５０による緩衝作用が発揮されなくなったりするおそれがなくなる。
【００５０】
また、この実施形態では、表裏の各胴部１０，３０とそれぞれの胴部１０，３０の上端縁に折返し状に連設された裏当てシート部１５，３５との間に、防磁機能、補強機能又はクッション機能のいずれかを発揮する機能性シートを介在させておくことが可能である。こうしておくと、ケース１００に防磁機能を具備させたり、ケース１００の強度を高めたり、ケース１００に収納した偏平物品を衝撃から防護することが可能になる。
【００５１】
さらに、この実施形態では、図２、図５、図７及び図９に示したように、表裏の各胴部１０，３０の上部の傾斜部１２０に舌片状の押さえ片１８，３８が連設されている。これらの押さえ片１８，３８は、図９の矢印ｃ１のように縦長姿勢のクランパー５０を上記した重なり部ｂ（図７参照）に差し込んで側部閉じ合わせ工程を行った後、表裏の各胴部１０，３０（図７参照）のそれぞれの内面に各別に重ね合わされている開き片６３とクランパーの板片部５２のそれぞれに貼付されている一対の貼付片６２，６２との間に挟み込まれる。こうしておくと、押さえ片１８，３８によりクランパー５０が上方へ位置ずれしたり抜け出たりするという事態が起こらない。
【００５２】
以上説明した実施形態では、下部閉じ合わせ工程及び側部閉じ合わせ工程を経て製作される上記した第１タイプのケース１００について説明したけれども、本考案は、表裏の各胴部１０，３０における左右の側部に位置する第２外辺部同士だけを閉じ合わせるような、冒頭で説明した第２タイプの偏平物品収納ケースをも対象としている。
【００５３】
図１９は本考案の他の実施形態に係る第２タイプのケースの製作に使用される１枚のシートの展開平面図である。この実施形態に係るケースは、同図に展開して示した１枚のシートＳが製作に使用される。このシートＳは、表裏の各胴部１０，３０における下部に位置する第１外辺部１６，３６同士が一定幅の底マチ幅Ａを確保して連設されている。これによれば、表裏の各胴部１０，３０を形成するのに１枚のシートＳを用いるだけで済む。この実施形態において、第１外辺部１６，３６同士が一定幅の底マチ幅Ａを確保して連設されていること以外は、図１〜図１８を参照して説明した実施形態と同様であるので、相応する部分に同一符号を付して詳細説明を省略する。
【００５４】
図２０は本考案のさらに他の実施形態に係るケース１００の概略斜視図である。この実施形態に係るケース１００は、上部に手提げ用の持ち手１４０を設けたものである。これによれば、持ち手１４０を手に持ってバッグのように持ち運ぶことが可能になる。
【００５５】
本考案は、下部閉じ合わせ構造や側部閉じ合わせ構造が具備しているクランパー５０の幅や高さなどのサイズを変更することによって、上部や下部のコーナ部の傾斜角度や入り隅部分のサイズが異なる様々なサイズのケースに適用することが可能になる。
【符号の説明】
【００５６】
１０  表胴部
１１，１３，３１，３３  立上り片
１２，１４，３２，３４  係合片
１５，３５  裏当てシート部
１６，３６  第１外辺部
１７，３７  第２外辺部
３０  裏胴部
３６ａ，３７ａ  凹所
５０  クランパー
５１  平板部
５２  板片部
５３  係合爪
５４  上向き開口部
５５  横向き開口部
５６  下向き開口部
６０  シート体
６１  覆片
６２  貼付片
６４  板状片
７０  コーナ部材
７１  下地片
７３  裏当て片
７４  シート片
７５  化粧片
８０  クッション材
９５  ガイド片
１００  ケース（偏平物品収納ケース）
１１０  出し入れ口
１２０  傾斜部
１３０  コーナ部
１４０  持ち手
Ａ  底マチ幅
ａ，ｂ  重なり部
Ｌ  稜線
Ｓ，Ｓ１，Ｓ２  シート
【図１】
0003225323.tif 000003
【図２】
0003225323.tif 000004
【図３】
0003225323.tif 000005
【図４】
0003225323.tif 000006
【図５】
0003225323.tif 000007
【図６】
0003225323.tif 000008
【図７】
0003225323.tif 000009
【図８】
0003225323.tif 000010
【図９】
0003225323.tif 000011
【図１０】
0003225323.tif 000012
【図１１】
0003225323.tif 000013
【図１２】
0003225323.tif 000014
【図１３】
0003225323.tif 000015
【図１４】
0003225323.tif 000016
【図１５】
0003225323.tif 000017
【図１６】
0003225323.tif 000018
【図１７】
0003225323.tif 000019
【図１８】
0003225323.tif 000020
【図１９】
0003225323.tif 000021
【図２０】
0003225323.tif 000022